(57)【特許請求の範囲】
【請求項１】
所望の波長の光を選択的に取り出すためのフィルタモジュールにおいて、
フィルタモジュールの一端側に少なくとも端部同士は平行となるように配置された第１および第２の導波手段と、
これら第１および第２の導波手段と協同してコリメータを構成するようこれら第１および第２の導波手段から所定距離離れた位置に配置されたレンズと、
該レンズの、前記第１および第２の導波手段側とは反対側の焦点位置若しくはその近傍に配置され、前記レンズ側からくる光を前記レンズ側に反射する反射手段と、
前記レンズおよび前記反射手段間に配置されたバンドパスフィルタと、
前記レンズと前記反射手段との間の何れかの位置に配置された、入射光の偏光面を45°回転させる１／４波長板と
を具えたことを特徴とするフィルタモジュール。
【請求項２】
所望の波長の光を選択的に取り出すためのフィルタモジュールにおいて、
フィルタモジュールの一端側に少なくとも端部同士は平行となるように配置された第１および第２の導波手段と、
これら第１および第２の導波手段と協同してコリメータを構成するようこれら第１および第２の導波手段から所定距離離れた位置に配置されたレンズと、
該レンズの、前記第１および第２の導波手段側とは反対側の焦点位置若しくはその近傍に配置され、前記レンズ側からくる光を前記レンズ側に反射する反射手段と、
前記レンズおよび前記反射手段間に配置されたバンドパスフィルタと、
前記レンズと前記反射手段との間の何れかの位置に配置された、入射光の偏光面を45°回転させるガーネット板と
を具えたことを特徴とするフィルタモジュール。
【請求項３】
請求項１又は２に記載のフィルタモジュールにおいて、
前記バンドパスフィルタは、前記第１および第２の導波手段の端部が平行に並ぶ方向に対し平行な軸を回転軸として回転制御可能に配置してあること
を特徴とするフィルタモジュール。
【請求項４】
請求項１又は２に記載のフィルタモジュールにおいて、
前記バンドパスフィルタをグラデーション型のものとし、
該グラデーション型のバンドパスフィルタは位置移動可能に配置してあることを特徴とするフィルタモジュール。
【請求項５】
請求項１〜４のいずれか１項に記載のフィルタモジュールにおいて、
前記レンズを、非球面レンズ、ボールレンズ、平凸レンズまたは両凸レンズとしてあることを特徴とするフィルタモジュール。
【発明の詳細な説明】
【０００１】
【発明の属する技術分野】
この発明は、所望の波長の光を選択的に取り出すためのフィルタモジュールに関するものである。
【０００２】
【従来の技術】
光通信、光計測、光制御などの分野では、特定の波長の光を必要とする場合が多々ある。その場合一般には、フィルタモジュールにより特定の波長光が光源から選択される。このようなフィルタモジュールの従来例として、以下に図５を用いて説明するようなものがある。入力用光ファイバ１１、レンズ１３、バンドパスフィルタ１５、レンズ１７および出力用ファイバ１９をこの順に直線状に配置したフィルタモジュールである。このフィルタモジュールによれば、入力用光ファイバ１１から入力された光のうちバンドパスフィルタ１５を透過する波長の光のみが出力用光ファイバー１９に出力される。また、入力用光ファイバ１１側から来る光のバンドパスフィルタ１５に対する入射角を、バンドパスフィルタを回転させることで制御すると、選択される波長を可変できた。なお、図５において２１，２３，２５はそれぞれ、バンドパスフィルタ１５を透過した光をモニターするための、ビームスプリッタ、レンズ、モニタ光用ファイバを示す。
【０００３】
【発明が解決しようとする課題】
しかしながら、上述の従来のフィルタモジュールの場合、構成成分１１〜１９が直線状に配置されているため、モジュールの小型化を図るにもおのずと限界がある。さらに、入力ポートおよび出力ポートがフィルタモジュールの対向する２つの端面に配置される構造となるため、該モジュールに接続する例えば光ファイバーの取り回しもおのずと制約を受ける。
【０００４】
従来に比べ小型化が可能でかつ入出力を同一端部で行なえるフィルタモジュールが望まれる。
【０００５】
【課題を解決するための手段】
そこで、この発明によれば、所望の波長の光を選択的に取り出すためのフィルタモジュールにおいて、
フィルタモジュールの一端側に少なくとも端部同士は平行となるように配置された第１および第２の導波手段と、
これら第１および第２の導波手段と協同してコリメータを構成するようこれら第１および第２の導波手段から所定距離離れた位置に配置されたレンズと、
該レンズの、前記第１および第２の導波手段側とは反対側の焦点位置若しくはその近傍に配置され、前記レンズ側からくる光を前記レンズ側に反射する反射手段と、
前記レンズおよび前記反射手段間に配置されたバンドパスフィルタと、
前記レンズと前記反射手段との間の何れかの位置に配置された、入射光の偏光面を45°回転させる、１／４波長板またはガーネット板と
を具えたことを特徴とする。
【０００６】
この発明によれば、例えば第１の導波手段から多波長を含む光を入力すると、これはレンズにおいて平行光になる。この平行光はバンドパスフィルタに至る。バンドパスフィルタは、この平行光のうちの所望の波長の光のみを反射手段側に透過する。反射手段はこの所望の波長の光を反射の法則に従い反射するから、所望の波長の光の光路は第２の導波手段方向に変更される。よって、この反射された光はバンドパスフィルタ、レンズを経て第２の導波手段より出力される。第２の導波手段を入力とした場合は上記の逆の動作がなされる。また、レンズと反射手段との間の何れかの位置に、入射光の偏光面を45°回転させる、１／４波長板またはガーネット板を配置すれば、詳細は後述するが、偏光依存性損失（ＰＤＬ）を低減できる。
【０００７】
ここで、この発明でいう第１および第２の導波手段は、典型的には光ファイバで構成できる。また、好適な基板に作製した導波路等（拡散導波路等）を第１及び第２の導波手段とする場合があっても良い。さらにこの発明でいう第１及び第２の導波手段は、通信用光ファイバ等の外部の導波手段や光通信装置等の外部装置と当該フィルタモジュールとを接続するポートとしての機能をも持つものであっても良い。さらには、外部の他の導波手段（典型的には光ファイバ）を接続することによってこの外部の導波手段自体がこの発明でいう第１および第２の導波手段となる場合の、当該外部の導波手段路が、この発明でいう第１および第２の導波手段となる場合があっても良い。
【０００８】
また、この発明でいう所定距離とは、前記レンズの焦点距離若しくはその近傍の値（バックフォーカスなどを考慮した値）とできる。
【０００９】
また、この発明でいう第１および第２の導波路の端部同士が平行とは、この発明の目的を達成し得る範囲で実質的に平行とみなせる場合も含む意味である。ただし、端部の平行度を真の平行に近くする程、第１および第２の導波手段の後段に設けるレンズは、径の小さなものを用いることが出来るようになるし、焦点距離の大きなものを用いることが出来るようになる。径の小さなレンズを用いることが出来ると、例えばフィルタモジュールの小型化が図れる。焦点距離の大きなレンズを用いることが出来ると、例えばバンドパスフィルタおよび反射手段の設置空間も大きく出来るようになる。従って、端部同士の平行度は真に平行若しくは出来るかぎり真の平行に近い方が好ましい。真に平行でない場合の許容範囲は、これに限られないが、平行度でいって数度以内好ましくは１度以内が良いと考える。
【００１０】
なお、この発明の実施に当たり、バンドパスフィルタは、レンズ側からくる光の該バンドパスフィルタに対する入射角を変化し得るように回転制御可能に配置しても良い。こうすると透過波長可変型のフィルタモジュールを構成出来るからである。ただし、その場合は、バンドパスフィルタは、第１および第２の導波手段の端部が平行に並ぶ方向に対し平行な軸を回転軸として回転制御可能に配置するのが良い（後述の図１参照）。このような回転軸でバンドパスフィルタを回転させた場合、この回転に起因して微小な光軸ずれが生じてもそれには第１の導波手段および第２の導波手段が並ぶ方向（図１のＸ−Ｘ線に沿う方向）にずれる成分は含まれなくなる。このため、バンドパスフィルタを回転させた場合（すなわち波長チューニングする場合）においても、第１および第２の導波手段の一方から出た光を他方に出力するという動作が確保される（損失抑制が図れる。）。
【００１２】
【発明の実施の形態】
以下、図面を参照してこの発明のフィルタモジュールの実施の形態について説明する。しかしながら説明に用いる各図はこの発明を理解出来る程度に概略的に示してあるにすぎない。また、各図において同様な構成成分については同一の番号を付して示しその重複する説明を省略することもある。
【００１３】
図１はこの発明のフィルタモジュールの実施の形態の一例を示した斜視図、図２（Ａ）はその側面図、図２（Ｂ）は実装例を示した図である。なお、これらの図は、第１および第２の導波手段３１，３３の端部が平行に並ぶ方向をＸ方向、光の伝搬方向をＺ方向、フェルール３５の直径方向をＹ方向とする直交座標系を想定して示してある。
【００１４】
この実施の形態のフィルタモジュール３０は、第１の導波手段３１と、第２の導波手段３３と、導波手段保持具（具体的にはフェルール）３５と、レンズ３７と、バンドパスフィルタ３９と、偏光依存性損失低減手段４１（以下、ＰＤＬ低減手段４１ともいう。）としての１／４波長板またはガーネット板と、反射手段４３とを具える。さらに、この実施の形態のフィルタモジュール３０は、モニター機能を達成するため、モニタ用レンズ４５とモニタ光用導波手段４７とを具える。もちろん、モニター機能部分は必須ではない。以下、各構成成分およびそれらの配置関係について説明する。
【００１５】
第１および第２の導波手段３１、３３を例えば光ファイバで構成する。光ファイバとしてはシングルモード光ファイバ、マルチモード光ファイバ等いずれでも良い。これら第１および第２の導波手段３１、３３を、それらの少なくとも端部同士は平行となるように配置する。この平行度の確保をここでは、導波手段保持具３５としてのフェルール３５を用いて行なっている。具体的には、用いる光ファイバの直径の２倍の寸法に挿入余裕を考慮した寸法を直径とする穴３５ａであって、かつ、これらファイバーの平行度確保が可能な程度の長さｔ（図２（Ａ）参照）の穴３５ａを有したフェルール３５を用意する。そしてこのフェルール３５の穴３５ａの中に２本の導波手段３１、３３の端部を挿入し固定している。こうすると、導波手段３１、３３の平行度を容易に確保できると共に、両導波手段３１、３３を最も近接させて配置できるので好ましい。なお、両導波手段３１、３３は上述のようにその側面同士（光ファイバで言えば外皮面同士）を接しさせて用いるのが好ましい。その方が、位置決めが容易、フェルール３５の穴加工が容易、レンズ３７の大きさを小さく出来る等の利点が得られるからである。しかし、場合によっては両導波手段３１、３３をある程度離すことがあっても良い。ただし、両導波手段３１、３３が離れすぎては上記利点が損なわれるので、両導波手段３１、３３の側面同士（光ファイバで言えば外皮面同士）が接した状態を両者間距離ゼロと考えたとして、両者間距離は３ｍｍ程度以内好ましくは１ｍｍ程度以内とするのが良い。
【００１６】
また、導波手段３１、３３の端面は、戻り光抑制のための斜面３１ａ，３３ａとしておくのが良い。斜面３１ａ，３３ａの最大傾斜線を図１に線分Ｙ１−Ｙ１として示している。斜面３１ａ，３３ａの角度θ（図１参照）は、シングルモード光ファイバの場合であれば８°とし、シングルモード光ファイバであって分散シフトファイバ（ＤＳＦ）の場合であれば１２°以上とする。また第１および第２導波手段３１、３３の端面を斜面とする場合は、斜面３１ａ，３３ａが横並びになるようにこれら導波手段３１、３３を平行配置するのが良い。こうした方が、第１および第２の導波路３１、３３の他の部品に対する光学的条件が同じになり便宜だからである。なお、このような斜面３１ａ，３３ａの形成は、これに限られないが、例えばフェルール３５に光ファイバを２本挿入固定した後、フェルールおよび光ファイバーを一緒に所定角度および方向で研磨することで行なえる。
【００１７】
また、レンズ３７は、第１および第２の導波手段３１、３３と協同してコリメータを構成するよう第１および第２の導波手段３１、３３の端面から所定距離ｚ１（図２（Ａ）参照）離れた位置に配置する。ここで、所定距離ｚ１は、典型的には、レンズ３７の焦点距離若しくはその近傍の値（バックフォーカス等を考慮した値）である。レンズ３７としては、屈折率分布形レンズ、非球面レンズ、ボールレンズ（シリンドリカル加工したものを含む）、平凸レンズまたは両凸レンズ等種々のものを用い得る。ただし、レンズ３７として、屈折率分布形レンズを用いるよりは、非球面レンズ、ボールレンズ、平凸レンズまたは両凸レンズを用いるのが好ましい。その理由は次のようである。屈折率分布形レンズは一般的に焦点距離が小さい。これに対し非球面レンズ、ボールレンズ、平凸レンズまたは両凸レンズは焦点距離の長いものを選択出来る。用いるレンズが焦点距離の長いものであると、レンズ３７の後段に設けるバンドパスフィルタ３９、ＰＤＬ低減手段４１、反射手段４３の配置空間が大きくなる。これら構成成分３９、４１、４３の配置空間を大きく出来ると、これら構成成分の調整自由度を高める等の作用をもたらすので、各構成成分の最適結合をより行ない易く出来るという効果を生じさせる。また、特に非球面レンズは、受光面積が広い、収差が小さいのでさらに好適である。
【００１８】
また、バンドパスフィルタ３９、ＰＤＬ低減手段４１としての１／４波長板またはガーネット板、反射手段４３それぞれは、フィルタモジュール３０に要求される仕様に応じた特性を持ったもので構成する。具体的には、バンドパスフィルタ３９、ＰＤＬ低減手段４１、反射手段４３それぞれは、フィルタモジュール３０で扱う波長光に可動可能なものとする。また、反射手段４３はモニタ光を取り出す場合はその点を考慮した反射率にする。もちろんこの発明においてはモニタ光を得る点は本質でないのでモニタ光を必要としない場合は反射手段４３は全反射手段として良い。
【００１９】
また、これら構成成分３９、４１、４３の配置に当たっては、反射手段４３は、これとレンズ３７との距離Ｚ２（図２（Ａ）参照）がレンズ３７の焦点距離若しくはその近傍の値（バックフォーカス等を考慮した値）となる位置に配置する。一方、バンドパスフィルタ３９およびＰＤＬ低減手段４１は、レンズ３７と反射手段４３との間に、レンズ３７側からいってバンドパスフィルタ３９およびＰＤＬ低減手段４１の順で配置する。ここで、レンズ３７とバンドパスフィルタ３９との間の距離ｚ３、バンドパスフィルタ３９とＰＤＬ低減手段４１との間の距離ｚ４、ＰＤＬ低減手段４１と反射手段４３との距離ｚ５を、距離ｚ２の中でいかに割り振るかは、設計に応じ決めれば良い。これに限られないが、ここではｚ３＝ｚ４＝ｚ５としている。
【００２０】
また、バンドパスフィルタ３９は、レンズ３７側から来る光の入射角が変わるように回転制御可能に配置するのが好適である。こうすると、選択波長可変型のフィルタモジュールが実現出来るからである。ただし、その場合は、第１および第２の導波手段３１、３３の端部が平行に並ぶ方向すなわち図１中の線分Ｘ−Ｘの方向に対し平行な軸すなわち図１中のＸ１−Ｘ１軸を回転軸として回転制御可能にバンドパスフィルタ３９を配置するのが良い。このように回転軸を規定すると、バンドパスフィルタの回転に起因して微小な光軸ずれが生じてもそれには第１の導波手段および第２の導波手段が並ぶ方向（図１のＸ−Ｘ線に沿う方向）のずれ成分が含まれなくなる。このため、バンドパスフィルタを回転させた場合（すなわち波長チューニングする場合）においても、第１および第２の導波手段の一方から出た光を他方に出力するという動作が確保されるので、損失抑制が図れるからである。なお、図１の例ではバンドパスフィルタ３９の回転軸Ｘ１−Ｘ１はＺ軸上をよぎるようにとった例を示している。つまり回転軸Ｘ１−Ｘ１のＹ座標がゼロの場合を示している。しかし、Ｘ１−Ｘ１軸のＹ座標がゼロ以外になるように、すなわちＸ１−Ｘ１軸がＸ−Ｘ軸と平行ではあるがＺ軸をよぎらないように、Ｘ１−Ｘ１軸が設定されても良い。また、Ｘ−Ｘ軸に対しＸ１−Ｘ１軸が平行という意味は、この発明の目的を損ねない範囲で実質的に平行な場合も含む。
【００２１】
なお、バンドパスフィルタ３９の回転制御機構は任意好適なもので良い。例えば、バンドパスフィルタ３９の所定位置に上記Ｘ１−Ｘ１軸相当のシャフトを接続し、さらにこのシャフトをベアリングで受ける。そして、このシャフトを回転およびロックするための好適な機構を設ける等である。
【００２２】
また、ＰＤＬ低減手段４１として１／４波長板を用いる場合は、１／４波長板の光軸（図１中に線分Ｃ−Ｃとして示した軸）が、Ｘ軸およびＹ軸に対し４５°の角度となるように配置する。ＰＤＬ低減手段４１としてガーネット板を用いる場合はガーネットは軸がないので、特別な配慮はいらない。これらの理由は、後の動作説明において行なう。
【００２３】
また、モニタ用レンズ４５およびモニタ光用導波手段４７は任意好適なもので構成出来る。モニタ光用導波手段４７はここでは光ファイバ４７ａおよびフェルール４７ｂで構成している。この場合は、モニタ光は、フィルタモジュール３０における第１および第２の導波手段を設けた端部とは反対側の端部から取り出せる。
【００２４】
上述した、第１および第２の導波手段３１、３３を挿入固定したフェルール３５、レンズ３７、バンドパスフィルタ３９、ＰＤＬ低減手段４１、反射手段４３、モニタ用レンズ４５およびモニタ光用導波手段４７それぞれを、例えば図２（Ｂ）に示したように好適な筐体５０に組み込み、そして例えばＹＡＧレーザによって固定する。これにより、実際のフィルタモジュールの一例が完成する。なお、筐体５０としては、例えば各構成成分３５、３７、３９、４１、４３、４５および４７ｂをそれぞれ組み込むためのスリットが予め精度良く形成されている筐体を用いることが出来る。このような筐体５０としては、例えば熱膨張係数等を考慮した好適な金属板にフォトエッチング技術で上記スリットを形成したものを筐体形状に曲げ加工したもの等が挙げられる。
【００２５】
次に、この発明のフィルタモジュールの理解を深めるために、実施の形態で説明したフィルタモジュール３０の使用方法および動作について説明する。この説明を図３を参照して行なう。ただし、この図３はフィルタ機能を達成する部分のみ模式的に示した図である。また、フィルタモジュール３０をＹ方向上方から見た図としてある。
【００２６】
第１および第２の導波手段３１、３３のいずれか一方を入力用（多波長を含む光の入力用）、他方を出力用（選択光の出力用）導波手段としてそれぞれ用いる。ここでは、第１の導波手段３１を入力用導波手段として用い、第２の導波手段を出力用導波手段として用いる例を考える。
【００２７】
第１の導波手段３１から入力された多波長を含む光は、レンズ３７によって平行光線になる。この平行光線はバンドパスフィルタ３９に至る。バンドパスフィルタ３９は、この平行光線のうちの所望の波長の光のみ透過する。バンドパスフィルタ３９を透過した所望の波長の光はＰＤＬ低減手段４１を経た後に反射手段４３に至る。なお、ＰＤＬ低減手段４１の機能については後述する。反射手段４３はこの所望の波長の光を反射の法則に従い反射するのでこの光は第２の導波手段３３側に向かうようになる（図３参照）。従って、反射手段４３で反射された所望の波長の光は、ＰＤＬ低減手段４１、バンドパスフィルタ３９およびレンズ３７を経て第２の導波手段３３から出力される。よって、入出力を同一端部でおこなえ、かつ、所望の波長の光を取り出すことが可能なフィルタモジュールが得られることが分かる。また、このフィルタモジュール３０は、フィルタ機能を達成する部品で構成される部分（モニタ用部品４５、４７を除いた部分）の大きさについてみると、図５を用いて説明した従来のフィルタモジュールに比べ、レンズ１７、１９が不要な分小型になる。しかも、レンズ３７の焦点距離のほぼ２倍の寸法に、フェルール３５の寸法を加えた寸法内に各構成成分３１、３３、３７、３９、４１、４３が実装されるので、おのずと小型になる。また、図５を用いて説明したフィルタモジュールでは、図４（Ａ）に示したようにバンドパスフィルタ１５を回転させた場合、レンズ１３側の光軸Ｌ１とレンズ１７側の光軸Ｌ２とがずれるため、出力用導波手段への挿入損失が生じる。これに対しこの発明のフィルタモジュールでは、図４（Ｂ）に示したように、光はバンドパスフィルタ３９を往復するようになるのでバンドパスフィルタ３９を回転させても光はほぼ同一の光路を通る。そのため、本発明では出力用導波路への挿入損失が従来より生じにくいという利点も得られる。また、この発明では光はバンドパスフィルタ３９を２回通過するので、バンドパスフィルタが１枚であるにもかかわらず単に１枚のバンドパスフィルタを用いる場合より、フィルタの抑圧比は向上する。これは複数枚のフィルタを用いることなく所望の抑圧比が得られることになるので、フィルタモジュールの小型化の点で有利である。
【００２８】
またこの実施の形態のフィルタモジュールでは、ＰＤＬ低減は次のように達成出来る。バンドパスフィルタではこれに入射する光の偏光方向によってＰＤＬが生じる。例えば次のようである。バンドパスフィルタ３９に対し例えば、振動面が図１のＹＺ平面に平行な直線偏光を入れた場合が通過損失最大となり、振動面が図１のＸＺ平面に平行な直線偏光を入れた場合が通過損失最少となるとする。これら最大値−最少値の差がＰＤＬである。また、バンドパスフィルタ３９を回転させた場合は上記最大損失と最少損失との差は大きくなるので、ＰＤＬはますます大きくなる。ところが、この実施の形態のフィルタモジュール３０では、ＰＤＬ低減手段としての１／４波長板４１を上述のような軸関係で配置してあるので、直線偏光は次のようにフィルタモジュール内を伝播する。レンズ３７側から振動面が図１のＸＺ平面に平行な直線偏光がバンドパスフィルタ３９を通過した場合、この直線偏光は１／４波長板４１を通過すると左回り円旋光になる。この左回り円旋光は反射手段４３で反射されると右回り円旋光になる。この右回り円旋光は１／４波長板４１に入ると振動面がＹＺ平面に平行な直線偏光になる。一方、レンズ３７側から振動面が図１のＹＺ平面に平行な直線偏光がバンドパスフィルタ３９を通過した場合、戻ってくる光は振動面が図１のＸＺ平面に平行な直線偏光になる。このことから分かるように、この実施の形態のフィルタモジュール３０では、直線偏光は、入力時の偏光方向がどうであれ、バンドパスフィルタ３９を往復通過する際に必ず振動面が直交する別々の偏光状態で通過することになる。このため、ＰＤＬを抑制出来る。扱う光が円偏光の場合は、Ｘ，Ｙ方向成分が１：１であるのでＰＤＬは殆ど生じないので問題はない。
【００２９】
また、ＰＤＬ低減手段４１としてガーネット板を用いた場合は直線偏光はフィルタモジュール３０内を以下のように伝搬する。レンズ３７側から振動面が図１のＸＺ平面に平行な直線偏光がバンドパスフィルタ３９を通過した場合、この直線偏光はガーネット板を通過すると偏光方向が４５°回転された直線偏光になる。この直線偏光は反射手段４３で反射されても偏光方向は変わらない。そして、ガーネット板に再び入ると偏光方向がさらに４５°回転し、結局、振動面がＹＺ平面に平行な直線偏光になる。一方、レンズ３７側から振動面が図１のＹＺ平面に平行な直線偏光がバンドパスフィルタ３９を通過した場合、戻ってくる光は振動面が図１のＸＺ平面に平行な直線偏光になる。よって、ガーネット板を用いた場合も、この実施の形態のフィルタモジュール３０では、直線偏光は、入力時の偏光方向がどうであれ、バンドパスフィルタ３９を往復する際に必ず振動面が直交する別々の偏光状態で通過することになる。このためＰＤＬを抑制出来る。
【００３０】
なお、この発明は上述の実施の形態に限られない。例えば上述においては第１および第２の導波手段は導波手段保持具３５を用い固定する例を説明したが、所定の配置関係が確保出来ればこの手法に限らず他の手法でももちろん良い。
【００３１】
また、上述の実施の形態では、バンドパスフィルタを所定軸（具体的にはＸ１−Ｘ１軸）を回転軸として回転制御可能なものとすることで、選択波長を可変できるようにしていた。しかし、バンドパスフィルタをグラデーション型のものとし、該グラデーション型のバンドパスフィルタを位置移動可能に配置しておく構成としても良い。ここで、グラデーション（Gradation ）型のバンドパスフィルタとは、周知の通り、透明基板に斜めに光学薄膜をつけたものである。これの移動方向は、レンズと反射手段とを結ぶ線分（図１のｚ軸）に対し垂直な方向（例えばＸ１−Ｘ１方向やＹ−Ｙ方向）とできる。具体的には、光学薄膜の形成方向を考慮して決めれば良い。
【００３２】
【発明の効果】
上述した説明から明らかなように、この発明のフィルタモジュールによれば、所定の、第１および第２の導波手段、レンズ、反射手段およびバンドパスフィルタを具えたので、従来に比べ小型化が可能でかつ入出力を同一端部で行なえるフィルタモジュールを提供出来る。
【図面の簡単な説明】
【図１】実施の形態のフィルタモジュールを説明する斜視図である。
【図２】（Ａ）は実施の形態のフィルタモジュールの側面図、（Ｂ）は実装例を示した図である。
【図３】実施の形態のフィルタモジュールの動作説明図である。
【図４】従来技術および本発明の説明図である。
【図５】従来技術の説明図である。
【符号の説明】
３０：実施の形態のフィルタモジュール
３１：第１の導波手段
３３：第２の導波手段
３５：導波手段保持具（フェルール）
３７：レンズ
３９：バンドパスフィルタ
４１：ＰＤＬ低減手段
４３：反射手段
Ｘ−Ｘ：第１および第２の導波手段の端部が平行に並ぶ方向
Ｘ１−Ｘ１：バンドパスフィルタの回転軸
【図１】
0003669753.tif 000002
【図２】
0003669753.tif 000003
【図３】
0003669753.tif 000004
【図５】
0003669753.tif 000005
【図４】
0003669753.tif 000006